(57)【要約】【課題】収納箱の内側面とティシュペーパーとの色差があり、視認性に優れた収納箱を提供する。【解決手段】衛生用紙を取出口から取り出し可能に収納される収納箱であって、収納箱の４面の内側面のうち少なくとも１面のＬ＊ａ＊ｂ＊表色系のＬ＊、ａ＊及びｂ＊をそれぞれＬ＊１、ａ＊１及びｂ＊１とし、衛生用紙のＬ＊ａ＊ｂ＊表色系のＬ＊、ａ＊及びｂ＊をそれぞれＬ＊２、ａ＊２及びｂ＊２としたとき、ΔＥ＝［（Ｌ＊２−Ｌ＊１）2＋（ａ＊２−ａ＊１）2＋（ｂ＊２−ｂ＊１）２］1/2で定義される色差ΔＥが５以上であることを特徴とする。【選択図】図３
2020152411.tif 000002
【特許請求の範囲】
【請求項１】
衛生用紙を取出口から取り出し可能に収納される収納箱であって、
前記収納箱の４面の内側面のうち少なくとも１面のＬ＊ａ＊ｂ＊表色系のＬ＊、ａ＊及びｂ＊をそれぞれＬ＊１、ａ＊１及びｂ＊１とし、前記衛生用紙のＬ＊ａ＊ｂ＊表色系のＬ＊、ａ＊及びｂ＊をそれぞれＬ＊２、ａ＊２及びｂ＊２としたとき、ΔＥ＝［（Ｌ＊２−Ｌ＊１）2＋（ａ＊２−ａ＊１）2＋（ｂ＊２−ｂ＊１）2］1/2で定義される色差ΔＥが５以上であることを特徴とする収納箱。
【請求項２】
前記少なくとも１面には、前記Ｌ＊１、前記ａ＊１及び前記ｂ＊１の条件を満たす色材部が設けられていることを特徴とする請求項１に記載の収納箱。
【請求項３】
前記少なくとも１面には、前記色材部を含む複数の色を有する彩色部が設けられていることを特徴とする請求項２に記載の収納箱。
【請求項４】
前記収納箱は、前記内側面に粘着層または接着層を介して固定されるシート材を有し、前記少なくとも１面に前記シート材を設けることによって、前記Ｌ＊１、前記ａ＊１及び前記ｂ＊１の条件を満たすことを特徴とする請求項１に記載の収納箱。
【請求項５】
前記少なくとも１面の対向面は、当該少なくとも１面を視認可能な切抜開口部が形成されていることを特徴とする請求項１〜４のいずれか一項に記載の収納箱。
【請求項６】
前記収納箱には、前記対向面の前記切抜開口部を覆うように透明または半透明のシートが設けられていることを特徴とする請求項５に記載の収納箱。
【発明の詳細な説明】
【技術分野】
【０００１】
本発明は、ティシュペーパーを収納する収納箱に関する。
【背景技術】
【０００２】
従来、ティシュペーパーなどの衛生用紙は、収納箱に収納して使用されている。その収納箱内のティシュペーパーの残量は、一般的には、取出し口から確認されている。
【先行技術文献】
【特許文献】
【０００３】
【特許文献１】特開２００８−６８９２１号公報
【特許文献２】実開平６−３１５９９号公報
【発明の概要】
【発明が解決しようとする課題】
【０００４】
しかしながら、このような収納箱では、取出し口などから内部を覗くとしても、収納箱の内側面とティシュペーパーが、例えば同じ色の場合、残量が分かりにくいことがある。すなわち、収納箱の内側面の色とティシュペーパーの色が同じ場合、内側面と同化してしまい、残量が分かり辛い場合がある。
【０００５】
よって、本発明の目的は、収納箱の内側面とティシュペーパーとの色差があり、視認性に優れた収納箱を提供することにある。
【課題を解決するための手段】
【０００６】
衛生用紙を取出口から取り出し可能に収納される収納箱であって、収納箱の４面の内側面のうち少なくとも１面のＬ＊ａ＊ｂ＊表色系のＬ＊、ａ＊及びｂ＊をそれぞれＬ＊１、ａ＊１及びｂ＊１とし、前記衛生用紙のＬ＊ａ＊ｂ＊表色系のＬ＊、ａ＊及びｂ＊をそれぞれＬ＊２、ａ＊２及びｂ＊２としたとき、ΔＥ＝［（Ｌ＊２−Ｌ＊１）2＋（ａ＊２−ａ＊１）2＋（ｂ＊２−ｂ＊１）2］1/2で定義される色差ΔＥが５以上であることを特徴とする。
【発明の効果】
【０００７】
本発明によれば、収納箱内のティシュペーパーの残量を把握しやすくすることができる。
【図面の簡単な説明】
【０００８】
【図１】本発明の一実施形態に係る収納箱を示す斜視図である。
【図２】図１の収納箱の展開シートを示す上面図である。
【図３】図１の収納箱の展開シートを示す下面図である。
【図４】本発明の一実施形態に係る収納箱の内側面に有する彩色部の構成を示す平面図である。
【図５】本発明の一実施形態に係る収納箱に有する切抜開口部の構成を示す平面図である。
【図６】本発明の一実施形態に係る収納箱に収納されているティシュペーパーの残量が５０％ときを示す平面図である。
【図７】本発明の一実施形態に係る収納箱に収納されているティシュペーパーの残量が０％ときを示す平面図である。
【図８】図５と異なる切抜開口部によるパターン模様を示す平面図である。
【発明を実施するための形態】
【０００９】
以下、図面を参照して本発明を詳細に説明する。
図１は、本発明の一実施形態に係る収納箱の斜視図である。また、図２は、図１の収納箱を展開した展開シートの上面図である。本実施形態の収納箱１０は、ティシュペーパーＰをポップアップ式に取出し可能にティシュペーパーＰの束を収納するための収納箱である。
【００１０】
収納箱１０は、天面と底面と一対の短側面と一対の長側面を備えた略直方体形状の構造である。天面１１と対向する底面１４と、天面１１の長手方向側辺につながる第１長側面１２と、天面１１と底面１４との間に位置する長手方向側辺につながり、第１長側面１２に対向する第２長側面１３によって、長手方向の各面を形成している。すなわち、第１長側面１２、天面１１、第２長側面１３、底面１４の順に並び、底面１４における第２長側面１３側と反対側に設けられた糊しろ８が第１長側面１２と接合され、収納箱１０が形成されている。また、本実施形態では、一辺が他辺よりも長い直方体の収納箱１０を一例として説明するが、これに限るものではなく、収納箱としては、例えば直方体に含まれる立方体でもよい。
【００１１】
この収納箱１０は、天面１１、第１長側面１２、第２長側面１３および底面１４が紙製の硬質材で作製されて、そのうちの一面である天面１１の中央付近に、長手方向に延長されている長穴１５が形成されている。長穴１５（以下、取出し口ともいう）は、収納箱１０内に収納されるティシュペーパーＰの束から、その最上位にあるティシュペーパーＰを取り出すようになっている。また、天面１１の内側にプラスチック製のフィルム１９が貼付されている。フィルムによって、ホコリ等が収納箱１０に侵入しないように閉塞されている。さらに、フィルムには、取出し口１５の長手方向に沿ってスリット１９ａが形成されており、このスリット１９ａを介してティシュペーパーＰを取り出すことができる。さらにまた、使用者は、取出し口１５から収納箱１０の内側面を確認することで、ティシュペーパーＰの残量を把握することができる。
【００１２】
従来、ティシュペーパーＰの残量は、取出し口から確認されるほか、例えば、特許文献１では、収納箱の側面の一部を切り抜いた収納箱が開示され、特許文献２では、収納箱の側面に切り抜いた窓を設けた収納箱が開示されている。しかしながら、切り抜いた窓から内部を覗くとしても、収納箱の内側面とティシュペーパーＰが、例えば同じ色の場合、残量が分かりにくいことがある。
【００１３】
本実施形態では、図２に示す、収納箱１０の展開シート１０ａにおいて、本実施形態の収納箱１０の第２長側面１３は、形成領域２０内に、内部空間Ｓを目視により把握して内部状況を視認可能に切り抜かれた形態で開口する複数の切抜開口部２１を有している。本発明では、これに限らず、第２長側面１３以外の収納箱１０の側面および収納箱１０の天面１１に切抜開口部２１を有してもよい。また、切抜開口部２１としては、本実施形態のように円形に限るものではなく、例えば、矩形などの定型、動物などのイラスト、文字、図形および記号などを規則配置または不規則配置するパターン模様を形成するようにしてもよい。本実施形態では、第１長側面１２の内側面の全面に形成するとしているが、取出し口１５および切抜開口部２１から視認可能な範囲内のみに形成するようにしてもよい。また、第１長側面１２の内側面に形成するとしたが、これに限られることなく、取出し口１５および切抜開口部２１から視認可能であれば、後述する各内フラップ６、７と外フラップ１６、１７から形成される短側面１８の内側面に色材部を形成してもよい。
【００１４】
また、図３は、図１の収納箱１０の展開した展開シートの下面図である。本実施形態の収納箱１０の第２長側面１３の対向面である第１長側面１２の内側面には、全面に黒色などの色材を塗布する色材部１２ｂが設けられている。本実施形態では、第１長側面１２の内側面に色材部１２ｂを設けたが、これに限られることなく、収納箱１０の４面の内側面の１面に色材部を設けてもよい。
【００１５】
さらに、図４は、収納箱１０の第１長側面１２に設けられる彩色部である。第１長側面１２には、図中左上に位置する色材部１２ｂを含む複数の色を有する彩色部１２ｂ´が設けられてもよい。例えば、図４（ａ）に示すように、第１長側面１２の内側面には、天面１１から底面１４へ向かうにつれて徐々に濃くなるグラデーション模様となる彩色部１２ｂ´が設けられている。この場合には、取出し口１５や切抜開口部２１を介して、消費が少ない時に、彩色部１２ｂ´の色が薄く、ティシュペーパーＰに近い色と視認させることができ、また、その消費が進んで残量が少なくなったときには、彩色部１２ｂ´の色が濃くなり、ティシュペーパーＰの残量に応じた印象で知らせることができる。さらに、本実施形態では、色材部を図中左上に設けたが、任意の位置に設定することができる。さらに、色材部１２ｂの図中左上の範囲内のＬ＊ａ＊ｂ＊表色系を、それぞれ平均化したものを利用してもよい。この平均化は公知のものが採用される。
【００１６】
また、図４（ｂ）に示すように、第１長側面１２の内側面には、全面に市松模様となる彩色部１２ｂ´が設けられている。この場合には、取出し口１５や切抜開口部２１を介して、第１長側面１２の内側面に設けられた市松模様を視認させることができ、消費が進んでティシュペーパーＰの残量が少なくなったときには、市松模様の視認することができる範囲が広がり、ティシュペーパーＰの残量に応じた印象で知らせることができる。
【００１７】
一方、収納箱１０は、第１長側面１２の内側面に粘着層または接着層を介して固定されるシート材を有してもよい。シート材は、後述するＬ＊ａ＊ｂ＊表色系のＬ＊１、ａ＊１およびｂ＊１の条件を満たしている。シート材と第１長側面１２の内側面を固定する粘着材または接着剤は、アクリル系、シリコーン系、ゴム系などである。また、第１長側面１２の内側面にシート材を固定することに限らず、Ｌ＊１、ａ＊１およびｂ＊１の条件を満たしていれば、塗布や収納箱の原紙を構成する繊維の配合割合によっても調整するようにしてもよい。
【００１８】
収納箱１０には、天面１１の短手方向側辺につながる外フラップ１６と、底面１４の短手方向側辺につながる外フラップ１７と、第１長側面１２の短手方向側辺につながる内フラップ６と、第２長側面１３の短手方向側辺につながる内フラップ７とによって、短手方向の各面を形成している。そして、第１長側面１２、天面１１、第２長側面１３、底面１４、糊しろ８のそれぞれの境界には、折り曲げるための折り曲げ線が形成されている。第１長側面１２と天面１１との境界には、第１折り曲げ線Ｌ１が形成されている。そして、天面１１と第２長側面１３との境界には、第２折り曲げ線Ｌ２が形成されている。また、第２長側面１３と底面１４との境界には、第３折り曲げ線Ｌ３が形成されている。さらに、底面１４と糊しろ８との境界には、第４折り曲げ線Ｌ４が形成されている。したがって、各面を折り返し、貼り合せることで四角柱状の筒状にすることができる。
【００１９】
さらに、上述した四角柱形状の筒状の状態に、ティシュペーパーＰを積層したティシュペーパーＰの束を収納したら、内フラップ６及び７を内側にそれぞれを折り返す。そして、底面１４の短手方向側辺につながる外フラップ１７をそれぞれ内側に折り返し、天面１１の短手方向側辺につながる外フラップ１６をそれぞれ内側に折り返し、内フラップ６および７の上に重ねて折り曲げられて、短側面１８が形成される。よって、図１に示すように、収納箱１０にティシュペーパーＰの束が収納される。
【００２０】
本実施形態では、図４に示すように、第２長側面１３は、形成領域２０内に、収納箱１０の内部空間Ｓを目視により把握して内部状況を視認可能に切り抜かれた形態で開口する複数の切抜開口部２１を有している。切抜開口部２１は、図２に示す展開シート１０ａの状態と同様に、例えばレーザー加工機などの加工機を用いて切り抜くことにより形成される。ここで、本実施形態では、第２長側面１３の形成領域２０内に切抜開口部２１を形成したが、これに限るものではなく、第１長側面１２や各内フラップおよび外フラップによって形成される短側面１８にも形成してもよい。さらに、収納箱１０の一面の所望の形成領域内に、適宜の寸法・形状に形成した切抜開口部２１を配置して、所謂、デザイン模様や風景等を線図などと区別して表現するようにしてもよい。
【００２１】
本実施形態の第２長側面１３の内側には、切抜開口部２１を覆うように収納箱１０の内側面を視認可能な可視光を透過する透明または半透明のシート１３ｂが設けられている。これは、天面１１の取出し口１５に貼り付けられているフィルム１９と同様に、ホコリ等が収納箱１０に侵入しないように閉塞されている。本実施形態では、シート１３ｂを第２長側面１３の内側に設けるとしたが、これに限ることなく、第２長側面１３の外側、または内側および外側の両方に貼り付けられてもよい。
【００２２】
ここで、本発明の「Ｌ＊ａ＊ｂ＊表色系」は、ＣＩＥ（国際照明委員会）１９７６（ＪＩＳ  Ｚ  ８７８１−４）で規定された表色系である。明度Ｌ＊値を変化させることで、色に対して、暗くすることや薄くすることによって、観者は視認しやすいと判断する。また、色度ａ＊値を変化させることで、赤色にすることや緑色にすることができ、色度ｂ＊値を変化させることで、黄色にすることや青色にすることができる。この色度ａ＊、ｂ＊は、それぞれ、人間が認識する心理的な補色の関係となっている。
【００２３】
そこで、本実施形態では、収納箱１０の４面の内側面のうちの少なくとも１面である第１長側面の内側面のＬ＊ａ＊ｂ＊表色系のＬ＊、ａ＊及びｂ＊をそれぞれＬ＊１、ａ＊１及びｂ＊１とする。また、ティシュペーパーＰのＬ＊ａ＊ｂ＊表色系のＬ＊、ａ＊及びｂ＊をそれぞれＬ＊２、ａ＊２及びｂ＊２とする。そして、本実施形態では、ＪＩＳ  Ｚ  ８７８１−４に規定されるＣＩＥ（国際照明委員会）Ｌ＊ａ＊ｂ＊表色系における第１長側面１２の内側面およびティシュペーパーＰのＬ＊ａ＊ｂ＊表色系をＤ６５光源および２度の視野条件で分光光度計（「９３９（型番）」，エックスライト社製）を用いて測定する。収納箱１０の第１長側面１２の内側面を測定する場合、任意の３０点を測定し、その平均値を本発明の測定値とする。ただし、第１長側面１２の内側面の切抜開口部２１は避けて測定を行う。また、ティシュペーパーＰを測定する場合、２プライを1組のティシュペーパーであれば１０枚（１０組）を重ねて測定をする。そして、ティシュペーパーＰの明度Ｌ＊２は９０以上９８以下が好ましく、色度ａ＊２および色度ｂ＊２は、それぞれ−６以上＋６以下が好ましい。
【００２４】
収納箱１０の第１長側面の内側面のＬ＊１、ａ＊１およびｂ＊１と、ティシュペーパーＰのＬ＊２、ａ＊２及びｂ＊２との色差ΔＥが５以上である。さらに、本実施形態の色差ΔＥは、１３以上であることが好ましく、色差ΔＥは、４０以上であることがより好ましい。なお、色差ΔＥは次式で算出する値である。
ΔＥ＝［（Ｌ＊２−Ｌ＊１）2＋（ａ＊２−ａ＊１）2＋（ｂ＊２−ｂ＊１）2］1/2
【００２５】
よって、本実施形態によれば、収納箱１０の第１長側面１２の内側面とティシュペーパーＰとの色差があり、使用者に収納箱１０内にあるティシュペーパーＰの束の残量が視認しやすくすることができる。すなわち、第１長側面１２の内側面のＬ＊ａ＊ｂ＊の値と、ティシュペーパーＰのＬ＊ａ＊ｂ＊の値との差を設けることで、取出し口や第２長側面の切抜開口部２１からティシュペーパーＰの残量が視認しやすくなる。この比較は、収納箱１０の内側面のＬ＊ａ＊ｂ＊表色系を色材部１２ｂのＬ＊ａ＊ｂ＊表色系と考え、ティシュペーパーＰのＬ＊ａ＊ｂ＊表色系を比較してもよい。詳細については、図５〜図７を用いて説明する。
【００２６】
図５は、収納箱１０内に収納されたティシュペーパーＰが未使用（１００％）の状態である。収納箱１０は、例えば、第１長側面１２の内側面をほぼ黒色と、ティシュペーパーＰをほぼ白色とする。収納箱１０内には、ティシュペーパーＰが使用されていないため、切抜開口部２１を介して、収納箱１０の内部にティシュペーパーＰの束が天面１１から底面１４まで入っていることが確認できる。
【００２７】
そして、収納箱１０からティシュペーパーＰが徐々に取り出されると、収納箱１０内のティシュペーパーＰの束の残量も減少する。図５は、収納箱１０内のティシュペーパーＰの束の残量が５０％の状態を示す図である。複数の切抜開口部２１のうち、天面１１から第２長側面１３の中央までの切抜開口部２１は、第１長側面１２の内側面の黒色となる。これは、ティシュペーパーＰが無くなり、第２長側面１３と対向する第１長側面１２の内側面の黒色が確認でき、使用者に収納箱１０のティシュペーパーＰの束の残量が５０％であることを視認させることができる。
【００２８】
さらに、収納箱１０からティシュペーパーＰが取り出され、収納箱１０内のティシュペーパーＰが無くなると図６のようになる。図６は、収納箱１０内に収納されたティシュペーパーＰの残量がない（０％）状態を示す図である。第２長側面１３に有している切抜開口部２１のすべてにおいて、切抜開口部２１を介して、第１長側面１２の内側面を視認することができる。この状態になると、収納箱１０内にティシュペーパーＰがないことを使用者に知らせることが可能となる。
【００２９】
切抜開口部２１の形成領域２０としては、図３に示すように、収納箱１０の第２長側面１３および短側面１８に対して平行に沿うように延長されている形状に限るものではない。
【００３０】
例えば、形成領域２０として、図７（ａ）に示すように、第２長側面１３において、第２折り曲げ線Ｌ２に沿うように長尺形状に延長されているとともに、その中央付近が底面１４に接近する方向に延長されている、すなわち、漏斗の形状になるように形成するようにしてもよい。この場合には、消費が少ない時に、天面１１と平行に長い範囲でティシュペーパーＰを切抜開口部２１から視認させることができ、また、その消費が進んで残量が少なくなったときには、その漏斗形状の切抜開口部２１の先端側の小さな面積の端部でティシュペーパーＰを視認させることができ、その残量に応じた印象で知らせることができる。
【００３１】
さらに、形成領域２０としては、図７（ｂ）に示すように、第２長側面１３において、天面１１と一方の短尺な短側面１８とによって挟まれる角部１３ｃ１から、底面１４と他方の短尺な短側面１８とによって挟まれる角部１３ｃ２に向かうように、直線的に斜め方向に延長されている形状に形成してもよい。この場合には、ティシュペーパーＰの残量が天面１１に接近する多い状態から底面１４に接近する少ない状態までの範囲を表示可能にすることができ、切抜開口部２１から視認するティシュペーパーＰの長さによって、その残量を把握させることができる。
【００３２】
このように、本発明の実施形態の収納箱によれば、収納箱１０の内側面に設けられた色材部１２ｂと、ティシュペーパーＰとの色差を５以上とすることで、収納箱内のティシュペーパーの残量を使用者に知らせ、把握することができる。
【００３３】
（その他）
なお、本発明は、上述した実施形態に限られること無く、適宜の変形、修正および代替などが可能である。例えば、本実施形態では、短側面に切抜開口部を形成し、その短側面の対向面の明度を適宜決定するようにしてもよい。また、長側面の一部を切り抜いてデザインを付与するようにしてもよい。
【符号の説明】
【００３４】
１０    収納箱
１０ａ  展開シート
１１    天面
１２    第１長側面
１２ｂ  塗布部
１３    第２長側面
１３ａ  塗布部
１４    底面
１５    取出し口
１６    外フラップ
６    内フラップ
１７    外フラップ
７    内フラップ
８    糊しろ
【図１】
2020152411.tif 000003
【図２】
2020152411.tif 000004
【図３】
2020152411.tif 000005
【図４】
2020152411.tif 000006
【図５】
2020152411.tif 000007
【図６】
2020152411.tif 000008
【図７】
2020152411.tif 000009
【図８】
2020152411.tif 000010
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
衛生用紙を取出口から取り出し可能に収納される収納箱であって、
前記収納箱の４面の内側面のうち少なくとも１面のＬ＊ａ＊ｂ＊表色系のＬ＊、ａ＊及びｂ＊をそれぞれＬ＊１、ａ＊１及びｂ＊１とし、前記衛生用紙のＬ＊ａ＊ｂ＊表色系のＬ＊、ａ＊及びｂ＊をそれぞれＬ＊２、ａ＊２及びｂ＊２としたとき、ΔＥ＝［（Ｌ＊２−Ｌ＊１）2＋（ａ＊２−ａ＊１）2＋（ｂ＊２−ｂ＊１）2］1/2で定義される色差ΔＥが５以上であり、
前記少なくとも１面には、前記Ｌ＊１、前記ａ＊１及び前記ｂ＊１の条件を満たす色材部が設けられていることを特徴とする収納箱。
【請求項２】
前記少なくとも１面には、前記色材部を含む複数の色を有する彩色部が設けられていることを特徴とする請求項１に記載の収納箱。
【請求項３】
前記収納箱は、前記内側面に粘着層または接着層を介して固定されるシート材を有し、前記少なくとも１面に前記シート材を設けることによって、前記Ｌ＊１、前記ａ＊１及び前記ｂ＊１の条件を満たすことを特徴とする請求項１に記載の収納箱。
【請求項４】
前記少なくとも１面の対向面は、当該少なくとも１面を視認可能な切抜開口部が形成されていることを特徴とする請求項１〜３のいずれか一項に記載の収納箱。
【請求項５】
前記収納箱には、前記対向面の前記切抜開口部を覆うように透明または半透明のシートが設けられていることを特徴とする請求項４に記載の収納箱。